【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
投影面によって定義される所定空間に実在する通信者と、当該所定空間に対応する相手方所定空間に実在する相手方通信者がコミュニケーションを行うための装置であって、
所定空間に光を照射する光源が存在すると仮定した場合に、生成されるであろう当該通信者の影を、通信者の動きにあわせて所定空間の投影面に形成するための影情報を生成する影情報生成手段と、
影情報を相手方に送信する送信手段と、
相手方所定空間における相手方通信者の影情報を受信する受信手段と、
前記影情報に基づいて、前記光源によって、通信者の動きにあわせて投影面に生成されるであろう影、および前記相手方影情報に基づいて、相手方通信者の相手方所定空間における位置に対応する所定空間における位置に、相手方通信者が存在したと仮定した場合に、前記光源によって、相手方通信者の動きにあわせて投影面に生成されるであろう影を、画像として生成する影画像生成手段と、
を備え、
通信者と相手方通信者の影が共存する所定空間を形成したコミュニケーション装置。
【請求項２】
投影面によって定義される所定空間に実在する通信者と、当該所定空間に対応する相手方所定空間に実在する相手方通信者がコミュニケーションを行うための装置をコンピュータによって実現するための通信プログラムであって、
所定空間に光を照射する光源が存在すると仮定した場合に、生成されるであろう当該通信者の影を、通信者の動きにあわせて所定空間の投影面に形成するための影情報を生成する影情報生成手段と、
影情報を相手方に送信する送信手段と、
相手方所定空間における相手方通信者の影情報を受信する受信手段と、
前記影情報に基づいて、前記光源によって、通信者の動きにあわせて投影面に生成されるであろう影、および前記相手方影情報に基づいて、相手方通信者の相手方所定空間における位置に対応する所定空間における位置に、相手方通信者が存在したと仮定した場合に、前記光源によって、相手方通信者の動きにあわせて投影面に生成されるであろう影を、画像として生成する影画像生成手段の機能をコンピュータによって実現するためのコミュニケーションプログラム。
【請求項３】
投影面によって定義される所定空間に実在する通信者と、当該所定空間に実在しない仮想相手方通信者ががコミュニケーションを行うための装置であって、
所定空間に光を照射する光源が存在すると仮定した場合に、生成されるであろう当該通信者の影を、通信者の動きにあわせて所定空間の投影面に形成するための影情報を生成する影情報生成手段と、
仮想相手方通信者が所定空間に存在したと仮定した場合に、前記光源によって、相手方通信者の動きにあわせて投影面に生成されるであろう影を相手方影情報として記録する記録部と、
前記影情報に基づいて、前記光源によって、通信者の動きにあわせて投影面に生成されるであろう影、および記録部に記録されている相手方影情報に基づいて、相手方通信者が所定空間に存在したと仮定した場合に、前記光源によって、相手方通信者の動きにあわせて投影面に生成されるであろう影を、画像として生成する影画像生成手段と、
を備え、
通信者と仮想相手方通信者の影が共存する所定空間を形成したコミュニケーション装置。
【請求項４】
投影面によって定義される所定空間に実在する通信者と、当該所定空間に実在しない仮想相手方通信者ががコミュニケーションを行うための装置をコンピュータによって実現するための通信プログラムであって、
所定空間に光を照射する光源が存在すると仮定した場合に、生成されるであろう当該通信者の影を、通信者の動きにあわせて所定空間の投影面に形成するための影情報を生成する影情報生成手段と、
前記影情報に基づいて、前記光源によって、通信者の動きにあわせて投影面に生成されるであろう影、および記録部に記録されている相手方影情報に基づいて、相手方通信者が所定空間に存在したと仮定した場合に、前記光源によって、相手方通信者の動きにあわせて投影面に生成されるであろう影を、画像として生成する影画像生成手段の機能をコンピュータによって実現するための通信プログラム。
【請求項５】
投影面によって定義される所定空間に実在する通信者と、当該所定空間に実在しない仮想相手方通信者がコミュニケーションを行うための装置であって、
所定空間に向けて光を照射し、当該所定空間に実在する通信者の影を、通信者の動きにあわせて所定空間の投影面に生成する光学投影器と、
通信者の所定空間に仮想相手方通信者が存在したと仮定した場合に、生成されるであろう当該通信者の影を、通信者の動きにあわせて相手方所定空間の投影面に形成するための影情報を相手方影情報として記録する記録部と、
記録部に記録された相手方影情報に基づいて、仮想相手方通信者が所定空間に存在したと仮定した場合に、前記光学投影器の光によって、仮想相手方通信者の動きにあわせて投影面に生成されるであろう影を投影画像として生成し、前記光学投影器に与える影画像生成手段と、
を備え、
通信者と仮想相手方通信者の影が共存する所定空間を形成したコミュニケーション装置。
【請求項６】
投影面によって定義される所定空間に実在する通信者と、当該所定空間に実在しない仮想相手方通信者がコミュニケーションを行うための装置をコンピュータによって実現するための通信プログラムであって、
記録部に記録された相手方影情報に基づいて、仮想相手方通信者が所定空間に存在したと仮定した場合に、光学投影器の光によって、仮想相手方通信者の動きにあわせて投影面に生成されるであろう影を投影画像として生成し、前記光学投影器に与える影画像生成手段をコンピュータによって実現するための通信プログラム。
【請求項７】
請求項１〜６のいずれかの装置またはプログラムにおいて、
前記投影面は、少なくとも壁面または床面を含むことを特徴とする装置またはプログラム。
【請求項８】
請求項１〜７のいずれかの装置またはプログラムにおいて、
前記影情報生成手段は、通信者を撮像するための撮像装置を備えており、
通信者の影情報は、撮像装置によって撮像した通信者の撮像データまたは撮像データに基づいて生成した、通信者の形状を表す形状データを含むことを特徴とする装置またはプログラム。
【請求項９】
請求項８の装置またはプログラムにおいて、
前記撮像装置は、ビデオカメラまたは赤外線熱画像装置であることを特徴とする装置またはプログラム。
【請求項１０】
請求項１〜９のいずれかの装置またはプログラムにおいて、
前記影情報は、所定空間全体に関するデータを含んでおり、前記形状データが、所定空間のどの位置に配置されているかによって、通信者の位置情報を表すことを特徴とする装置またはプログラム。
【請求項１１】
請求項６〜１０のコミュニケーション装置において、
前記影情報は、前記形状データに加えて、通信者の所定空間における位置を示す位置データを有していることを特徴とするもの。
【請求項１２】
請求項１１の装置またはプログラムにおいて、
前記投影面は、床面を備えており、
前記影情報生成手段は、前記床面に通信者の位置を検出する位置センサを備えており、
前記位置データは、当該位置センサの検出データに基づいて生成されることを特徴とするもの。
【請求項１３】
請求項１１の装置またはプログラムにおいて、
前記影情報生成手段は、通信者の体に装着された熱源を撮像した画像に基づいて通信者の位置を検出する位置検出手段を備えており、
前記位置データは、当該位置検出手段の出力に基づいて生成されることを特徴とするもの。
【請求項１４】
請求項１〜１３のいずれかの装置またはプログラムにおいて、
前記影画像生成手段は、所定空間と相手方所定空間とを同一空間とみなした場合の、通信者と相手方通信者との相対距離に応じて、相手方通信者の影の濃度を変化させることを特徴とする装置またはプログラム。
【請求項１５】
請求項１〜１４のいずれかの装置またはプログラムにおいて、
前記影画像生成手段は、所定空間と相手方所定空間とを同一空間とみなした場合の、通信者と相手方通信者との相対距離に応じて、相手方通信者の影の大きさを変化させることを特徴とする装置またはプログラム。
【請求項１６】
請求項１〜１５のいずれかの装置またはプログラムにおいて、
前記投影面は、床面および壁面を備えており、
前記床面を、仮想境界線によって、壁面に近い第一の領域と、壁面から遠い第二の領域に分け、
前記影画像生成手段は、相手方影情報に基づいて相手方通信者の存在を仮定した位置と通信者の位置がともに第一の領域または第二の領域にある場合には、相手方通信者の影を、床面および壁面の双方に表示するよう影画像を生成し、相手方影情報に基づいて相手方通信者の存在を仮定した位置と通信者の位置が異なる領域にある場合には、相手方通信者の影を、壁面のみに表示するよう影画像を生成することを特徴とする装置またはプログラム。
【請求項１７】
請求項１６の装置またはプログラムにおいて、
前記影画像生成手段は、相手方通信者が通信者と異なる領域にいる場合には、相手方通信者の影を、床面に表示せずに壁面に表示し、相手方通信者の仮想境界線からの距離が大きくなるほど、相手方通信者の影を小さく表示するよう影画像を生成することを特徴とする装置またはプログラム。
【請求項１８】
請求項１７の装置またはプログラムにおいて、
前記影画像生成手段は、相手方通信者の仮想境界線からの距離が大きくなるほど、相手方通信者の影の足位置を、壁面の上方に動かして表示するようにしたことを特徴とする装置またはプログラム。
【請求項１９】
投影面によって定義される所定空間に実在する通信者と、当該所定空間に対応する相手方所定空間に実在する相手方通信者がコミュニケーションを行うための方法であって、
所定空間に光を照射する光源が存在すると仮定した場合に、生成されるであろう当該通信者の影を、通信者の動きにあわせて所定空間の投影面に形成するための影情報を生成し、
影情報を相手方に送信し、
相手方所定空間における相手方通信者の影情報を受信し、
前記影情報に基づいて、前記光源によって、通信者の動きにあわせて投影面に生成されるであろう影、および前記相手方影情報に基づいて、相手方通信者の相手方所定空間における位置に対応する所定空間における位置に、相手方通信者が存在したと仮定した場合に、前記光源によって、相手方通信者の動きにあわせて投影面に生成されるであろう影を、画像として生成することを特徴とし、
通信者と相手方通信者の影が共存する所定空間を形成したコミュニケーション方法。